(57)【要約】【課題】  ワニ口クリップの端子ねじからの外れと、端子ねじの接続を確実にするワニ口クリップ保持具を提供する。【解決手段】  ワニ口クリップ保持具は、端子台１００に接続されるリード線２１０のワニ口クリップ２２０に用いられる。端子台１００に取り外し可能に固定される固定部１と、固定部１に取り付けられていると共に端子台１００の端子ねじ１４０を挟んでいる状態のワニ口クリップ２２０を保持することが可能である保持部２とを備える。【選択図】  図１
2019096434.tif 000002
【特許請求の範囲】
【請求項１】
端子台に接続されるリード線のワニ口クリップに用いられるワニ口クリップ保持具であって、
前記端子台に取り外し可能に固定される固定部と、
前記固定部に取り付けられていると共に前記端子台の端子ねじを挟んでいる状態のワニ口クリップを保持することが可能である保持部と、
を備えることを特徴とするワニ口クリップ保持具。
【請求項２】
前記固定部は、
細板状の第１の固定片および第２の固定片と、
前記第１の固定片の幅方向に対して直交する方向に前記第２の固定片が開閉可能に設けられ、かつ、前記第１の固定片の端部に対して前記第２の固定片の端部が閉じる方向に力を与えるばねと、
を備え、
前記第１の固定片の端部と前記第２の固定片の端部とで前記端子台の立壁を挟む、
ことを特徴とする請求項１に記載のワニ口クリップ保持具。
【請求項３】
前記第１の固定片の端部と前記第２の固定片の端部とには、前記端子台の立壁にＴ字状を形成するように設けられている板状の平板部を挟むために、溝が設けられている、
ことを特徴とする請求項１または２に記載のワニ口クリップ保持具。
【請求項４】
前記保持部は、
細板状の第１の保持片および第２の保持片と、
前記第１の保持片の幅方向に対して前記第２の保持片が開閉可能に設けられ、かつ、前記第１の保持片の端部に対して前記第２の保持片の端部が閉じる方向に力を与えるばねと、
を備え、
前記第１の保持片の端部と前記第２の保持片の端部とで、前記端子台の端子ねじを挟んでいるワニ口クリップを保持する、
ことを特徴とする請求項１〜３のいずれか１項に記載のワニ口クリップ保持具。
【発明の詳細な説明】
【技術分野】
【０００１】
この発明は、リード線の先端に接続されているワニ口クリップを保持するワニ口クリップ保持具に関する。
【背景技術】
【０００２】
ワニ口クリップはリード線の導線の先端に接続されて使用される。例えば、配電盤の試験等で試験回路を構成するため、盤内に設置されている端子台の端子ねじに試験リード線を接続することがある。このとき、リード線のワニ口クリップで端子ねじを挟んでリード線を接続し、試験回路を構成する。しかし、端子ねじは小さいうえに頭部が湾曲しているため、掴みにくく固定しにくい。また、ワニ口クリップが接続されているリード線に例えば作業者の工具等が軽く触れた場合に、リード線に対する引っ張りや振れによる応力で、ワニ口クリップが外れることがあった。
【０００３】
ワニ口クリップの外れを防ぐための解決手法としては、次のような取着ユニット（例えば、特許文献１参照。）がある。この取着ユニットは、端子ねじに導通接触させる接触子を先端に持つ計測用端子を備えている。さらに、計測用端子を支持対象に固定するための取着具を備えている。この取着ユニットでは、接触子にはマグネット材が使用されて、磁力により端子ねじに接触子が接触する。
【０００４】
また、ワニ口クリップの外れを防ぐために、次のようなリード線接続具（例えば、特許文献２参照。）がある。このリード線接続具は、導電性の筒本体を備えている。筒本体の外周は絶縁性の被覆体で被覆されている。筒本体にはスリットが間隔をあけて二つ形成され、端子ねじの頭部に係止可能な二つの係止爪がスリット間に設けられている。そして、リード線接続具の筒本体は、スリットと係止爪とにより、端子ねじを挟むような構造である。
【先行技術文献】
【特許文献】
【０００５】
【特許文献１】特開２０１６−２１９３４５号公報
【特許文献２】特開２００９−１７０２６４号公報
【発明の概要】
【発明が解決しようとする課題】
【０００６】
しかし、上記の接続用の器具には、以下のような課題が残されている。マグネット材を用いた接触子を端子ねじに接触させる取着ユニットでは、磁力によりリード線を端子ねじに接触させる。このために、端子ねじと接触子との間で接触の不具合が発生する可能性がある。
【０００７】
また、スリットと係止爪とにより端子ねじを挟むリード線接続具では、端子ねじに取り付けて、リード線を接続する構造である。これにより、端子ねじ側の接続は確実となっている。しかし、リード線側ではプラグ端子またはクリップにて接続しているため、リード線に応力がかかった場合、その部分が外れる課題は残されている。
【０００８】
この発明の目的は、前記の課題を解決し、ワニ口クリップの端子ねじからの外れと、端子ねじの接続を確実にするワニ口クリップ保持具を提供することにある。
【課題を解決するための手段】
【０００９】
前記の課題を解決するために、請求項１の発明は、端子台に接続されるリード線のワニ口クリップに用いられるワニ口クリップ保持具であって、前記端子台に取り外し可能に固定される固定部と、前記固定部に取り付けられていると共に前記端子台の端子ねじを挟んでいる状態のワニ口クリップを保持することが可能である保持部と、を備えることを特徴とするワニ口クリップ保持具である。
【００１０】
請求項１の発明では、固定部が端子台に固定され、保持部が固定部に取り付けられる。そして、保持部は、端子台の端子ねじを挟んでいる状態のワニ口クリップを保持する。
【００１１】
請求項２の発明は、請求項１に記載のワニ口クリップ保持具において、前記固定部は、細板状の第１の固定片および第２の固定片と、前記第１の固定片の幅方向に対して直交する方向に前記第２の固定片が開閉可能に設けられ、かつ、前記第１の固定片の端部に対して前記第２の固定片の端部が閉じる方向に力を与えるばねと、を備え、前記第１の固定片の端部と前記第２の固定片の端部とで前記端子台の立壁を挟む、ことを特徴とする。
【００１２】
請求項３の発明は、請求項１または２に記載のワニ口クリップ保持具において、前記第１の固定片の端部と前記第２の固定片の端部とには、前記端子台の立壁にＴ字状を形成するように設けられている板状の平板部を挟むために、溝が設けられている、ことを特徴とする。
【００１３】
請求項４の発明は、において、前記保持部は、細板状の第１の保持片および第２の保持片と、前記第１の保持片の幅方向に対して前記第２の保持片が開閉可能に設けられ、かつ、前記第１の保持片の端部に対して前記第２の保持片の端部が閉じる方向に力を与えるばねと、を備え、前記第１の保持片の端部と前記第２の保持片の端部とで、前記端子台の端子ねじを挟んでいるワニ口クリップを保持する、ことを特徴とする請求項１〜３のいずれか１項に記載のワニ口クリップ保持具。
【発明の効果】
【００１４】
請求項１の発明によれば、固定部が端子台に固定された状態で、端子ねじを挟んでいるワニ口クリップを保持部が保持すると、この保持部は固定部に取り付けられているので、端子ねじを挟んでいるワニ口クリップは端子台に固定されることになる。これにより、ワニ口クリップの端子ねじからの外れを防ぐ。また、端子ねじを挟んでいるワニ口クリップを保持するので、端子ねじとの接続を確実にすることができる。
【００１５】
請求項２の発明によれば、固定部では、ばねによって第１の固定片および第２の固定片が閉じられているので、端子台の立壁に固定部を固定することを可能にする。
【００１６】
請求項３の発明によれば、各固定片の端部には溝が設けられているので、端子台の立壁に設けられている平板部を確実に挟むことを可能にする。
【００１７】
請求項４の発明によれば、保持部では、ばねによって第１の保持片および第２の保持片が閉じられているので、端子台の端子ねじを挟んでいるワニ口クリップを確実に保持することを可能にする。
【図面の簡単な説明】
【００１８】
【図１】この発明の実施の形態１によるワニ口クリップ保持具を示す斜視図である。
【図２】図１の正面図である。
【図３】端子台の正面図である。
【図４】端子台の側面図である。
【図５】固定部を分解した様子を示す正面図である。
【図６】固定部を分解した様子を示す図であり、図６（ａ）は第１の固定片の右側面図であり、図６（ｂ）は第２の固定片の左側面図である。
【図７】挟持部の他例を示す図であり、図７（ａ）は半円形の挟持部を示す図であり、図７（ｂ）は三角形状の挟持部を示す図である。
【図８】保持部を分解した様子を表す正面図である。
【図９】保持部に軸を取り付けた様子を示す図である。
【図１０】ワニ口クリップ保持具の使用法を説明する図である。
【図１１】この発明の実施の形態２によるワニ口クリップ保持具を示す正面図である。
【図１２】この発明の実施の形態３によるワニ口クリップ保持具を示す正面図である。
【発明を実施するための形態】
【００１９】
次に、この発明の各実施の形態について、図面を用いて詳しく説明する。
【００２０】
（実施の形態１）
この実施の形態によるワニ口クリップ保持具を図１と図２に示す。なお、図２は図１のワニ口クリップ保持具を矢印ａ方向から見た図である。このワニ口クリップ保持具は固定部１と保持部２とで構成されている。
【００２１】
固定部１はリード線を接続するための器具に固定される。この実施の形態では、配電盤内に設置されている端子台に、リード線の導線に接続されているワニ口クリップを保持して固定する場合を例としている。ここで端子台について説明する。端子台としては、例えば図３と図４に示す端子台１００がある。図４は図３の端子台１００を長手方向ｂから見た図である。
【００２２】
端子台１００は端子台本体１１０を備えている。端子台本体１１０には平面部分１１１が形成され、この平面部分１１１を長手方向ｂに２分割するように、隔壁１２０が立壁として形成されている。隔壁１２０の先端部分には平板部１２１が設けられている。平板部１２１の表面は平面状に形成されている。つまり、隔壁１２０はＴ字状に作られている。
【００２３】
端子台１００の隔壁１２０には、この隔壁１２０と直交するように、側壁１３０が立壁として設けられている。端子台本体１１０と隔壁１２０と平板部１２１と各側壁１３０とは、絶縁材によって一体的に作られている。さらに、隔壁１２０と側壁１３０とで囲まれた端子台本体１１０の平面部分１１１、つまり絶縁性の立壁で仕切られた端子台本体１１０の平面部分１１１には、端子ねじ１４０がバネ座金１４１等を介在して設けられている。図示を省略しているが、端子台本体１１０を介在して端子ねじ１４０には配電盤の信号線等が接続されている。そして、先に述べた平板部１２１には、信号線の名称や端子番号等のプレートを貼り付けることが可能である。
【００２４】
こうした構造の端子台本体１１０に対してワニ口クリップ保持具が使用される。このワニ口クリップ保持具の構造を以下で説明する。
【００２５】
ワニ口クリップ保持具の固定部１は、図５と図６に示すように、２つの固定片１１、１２で主に構成されている。図６（ａ）は一方の固定片１１を矢印ｃから見た図であり、図６（ｂ）は他方の固定片１２を矢印ｄから見た図である。固定片１１、１２は絶縁材で作られている。固定片１１と固定片１２とは、端子台１００の平板部１２１を挟むために、への字形をした細長い板状体である。固定片１１、１２は、への字形の屈曲部分で互いに開閉するように組み合わされている。このために、一方の固定片１１の屈曲部分には、接合穴１１Ａが設けられ、さらに、接合穴１１Ａの両側壁には貫通孔１１Ｂが開けられている。他方の固定片１２の屈曲部には、この屈曲部に切欠き加工をして凸部１２Ａが形成されている。さらに、凸部１２Ａには貫通孔１２Ｂが開けられている。この貫通孔１２Ｂは、固定片１１の貫通孔１１Ｂに比べて大きく開けられている。固定片１１の接合穴１１Ａに固定片１２の凸部１２Ａをかみ合わせて、接合穴１１Ａと凸部１２Ａの隙間にばね１３を挿入し、絶縁材で作られた軸１４を固定片１１、１２の貫通孔１１Ｂ、１２Ｂに差し込む。そして、固定片１１の幅と同じ長さの軸１４を、固定片１１の貫通孔１１Ｂに固定する。
【００２６】
これにより、固定片１１に対して固定片１２が開閉可能に軸１４で支持される。しかも、固定片１１の一方の端部１１Ｃと固定片１２の一方の端部１２Ｃとが開く方向に、ばね１３が端部１１Ｃ、１２Ｃに力を与える。これにより、固定片１１の他方の端部１１Ｄと固定片１２の他方の端部１２Ｄとが通常は閉じている。そして、固定片１１の一方の端部１１Ｃと固定片１２の一方の端部１２Ｃとが人手により閉じられたときに、固定片１１の他方の端部１１Ｄと固定片１２の他方の端部１２Ｄとが開くことになり、端子台１００の隔壁１２０を挟むことが可能になる。
【００２７】
固定片１１、１２の他方の端部１１Ｄ、１２Ｄには、互いに向かい合うように、切欠き１１Ｅ、１２Ｅが設けられている。これは、端子台１００の平板部１２１を確実に挟むための溝である。つまり、切欠き１１Ｅ、１２Ｅにより挟持部が形成されている。この実施の形態では、挟持部の切欠き１１Ｅ、１２Ｅがコ字状をしているが、この他にも、切欠き１１Ｅ、１２Ｅは図７（ａ）に示すような半円形状や、図７（ｂ）に示すような三角形状であってもよい。この他にも各種の形状がある。
【００２８】
固定片１１の一方の端部１１Ｃ（図５）には、先端に所定の深さの保持穴１１Ｆが設けられている。保持穴１１Ｆは、保持部２を取り付けるためのものである。
【００２９】
保持部２（図１）は端子台１００に接続されたワニ口クリップを保持する。このために、保持部２は、図８に示すように、保持片２１、２２で主に構成され、保持片２１、２２は絶縁材で作られている。保持片２１と保持片２２とは、ワニ口クリップを保持するために、湾曲した細長い板状体に窪みを持ち、この窪みの部分で互いに開閉するように組み合わされている。この仕組みは固定部１の固定片１１、１２と同じである。このために、一方の保持片２１の窪み部分には、接合穴２１Ａが設けられ、さらに、接合穴２１Ａの両壁には貫通孔２１Ｂが開けられている。他方の保持片２２の屈曲部には、この屈曲部に切欠き加工をして凸部２２Ａが形成されている。さらに、凸部２２Ａには貫通孔２２Ｂが開けられている。貫通孔２２Ｂは、保持片２１の貫通孔２１Ｂに比べて大きく開けられている。一方の保持片２１の接合穴２１Ａに他方の保持片２２の凸部２２Ａをかみ合わせて、接合穴２１Ａと凸部２２Ａの隙間にばね２３を挿入し、絶縁材で作られ、かつ、保持片２１の幅に比べて長く作られている軸２４を、保持片２１、２２の貫通孔２１Ｂ、２２Ｂに差し込む。そして、軸２４を保持片２１の貫通孔２１Ｂに固定する。軸２４の長さは、保持片２１の幅に比べて長く作られているので、図９に示すように、保持片２１から軸２４が突き出した状態になる。
【００３０】
これにより、保持片２１に対して保持片２２が開閉可能になり、かつ、保持片２１の一方の端部２１Ｃと保持片２２の一方の端部２２Ｃとが開く方向に、ばね２３が端部２１Ｃ、２２Ｃに力を与える。これにより、保持片２１の他方の端部２１Ｄと保持片２２の他方の端部２２Ｄとが通常は閉じている。そして、保持片２１の一方の端部２１Ｃと保持片２２の一方の端部２２Ｃとが人手により閉じられたときに、保持片２１の他方の端部２１Ｄと保持片２２の他方の端部２２Ｄとが開くことになる。これにより、ワニ口クリップを保持可能な状態になる。
【００３１】
こうした保持部２は、固定部１に次のようにして取り付けられている。固定部１に設けられた保持穴１１Ｆ（図５）に対して、保持片２１から突き出している軸２４（図９）を差し込んで固定する。このとき、細長い板状の固定部１の幅方向ｅ（図１）に対して、細長い板状の保持部２の長さ方向ｆが直交するように、かつ、固定部１の幅方向ｅと保持片２１、２２の他方の端部２１Ｄ、２２Ｄの開閉方向ｇとが同じになるように、固定部１に対して保持部２が取り付けられている。これにより、固定片１１、１２は端子台１００の隔壁１２０に取り付け可能な状態になると共に、保持片２１、２２はワニ口クリップを保持可能な状態になる。
【００３２】
以上がこの実施の形態によるワニ口クリップ保持具の構成である。次に、このワニ口クリップの使い方について説明する。作業者は、図１０に示すように、ワニ口クリップ保持具の固定部１の一方の端部１１Ｃ、１２Ｃを手で摘む。なお、図１０ではワニ口クリップ２２０を挟んだ状態を示すために、保持部２を斜めに傾けて描いてある。作業者が端部１１Ｃ、１２Ｃを手で摘むと、他方の端部１１Ｄ、１２Ｄが開く。この状態で、作業者は、配電盤内に設置されている端子台１００の隔壁１２０の平板部１２１を挟む。この後、作業者は固定部１の一方の端部１１Ｃ、１２Ｃから手を離す。これにより、固定部１の挟持部が端子台１００の平板部１２１を挟み、固定部１が端子台１００に固定される。
【００３３】
次に、作業者は、保持部２の一方の端部２１Ｃ、２２Ｃを手で摘む。これにより、他方の端部２１Ｄ、２２Ｄが開く。この状態で、作業者は、保持部２の他方の端部２１Ｄ、２２Ｄの間にワニ口クリップ２２０が位置するようにして、ワニ口クリップ２２０で端子台１００の端子ねじ１４０を挟む。これにより、リード線２１０が端子ねじ１４０に電気的に接続される。この後、作業者は、保持部２の一方の端部２１Ｃ、２２Ｃから手を離すと、他方の端部２１Ｄ、２２Ｄが閉じて、保持部２はワニ口クリップ２２０を挟んで保持する。
【００３４】
これにより、固定部１は端子台１００に固定され、保持部２は固定部１に取り付けられ、さらに、保持部２はワニ口クリップ２２０を保持しているので、ワニ口クリップ２２０は、端子ねじ１４０を挟んだ状態で端子台１００に固定されることになる。
【００３５】
こうして、この実施の形態によれば、端子ねじ１４０を挟んだ状態でワニ口クリップ２２０が端子台１００に固定されるので、ワニ口クリップ２２０の端子ねじ１４０からの外れを防止し、端子ねじ１４０との接続を確実にすることを可能にする。また、この実施の形態によれば、試験回路に器具を介して接続することはせずに、端子ねじ１４０を摘んだワニ口クリップ２２０を保持して固定するので、ワニ口クリップ２２０を端子ねじ１４０に直接に接続すればよく、端子ねじ１４０を何度も摘み直すこともなくなり、確実にリード線２１０を接続することができると共に、ワニ口クリップ２２０の外れ防止をすることができる。
【００３６】
（実施の形態２）
実施の形態１では、ワニ口クリップ保持具が一対の固定部１と保持部２とで構成されたが、この実施の形態では、次のようにしている。なお、この実施の形態では、先に説明した実施の形態１と同一もしくは同一と見なされる構成要素には、それと同じ参照符号を付けて、その説明を省略する。この実施の形態では、図１１に示すように、実施の形態１によるワニ口クリップ保持具の保持部２を２つ設けた構成である。
【００３７】
このために、この実施の形態では、固定部１の固定片１１の一方の端部１１Ｃに板状の連結材１５を取り付ける。さらに、保持部２の軸２４を取り付けるための取付け穴１５Ａを、連結材１５の両端部分に設ける。そして、各取付け穴１５Ａに保持部２の軸２４を取り付けることにより、この実施の形態によるワニ口クリップ保持具が形成される。
【００３８】
この実施の形態によれば、固定部１を端子台１００に一度設置すれば、２つのワニ口クリップを保持することを可能にする。
【００３９】
なお、この実施の形態では、固定部１に対して２つの保持部２を設置したが、保持部２の設置数はこれに限定されることはない。
【００４０】
（実施の形態３）
この実施の形態では、実施の形態１によるワニ口クリップ保持具を次のようにしている。なお、この実施の形態では、先に説明した実施の形態１と同一もしくは同一と見なされる構成要素には、それと同じ参照符号を付けて、その説明を省略する。この実施の形態では、図１２に示すように、保持部２は次のようにして固定部１に取り付けられている。
【００４１】
固定部１に設けられた保持穴１１Ｆに対して、保持片２１から突き出している軸２４（図９）を差し込んで固定する。このとき、固定部１の幅方向ｅ（図１）に対して、保持部２の保持片２１、２２の長さ方向ｆが同じになるように、かつ、固定部１の幅方向ｅが保持片２１、２２の他方の端部２１Ｄ、２２Ｄの開閉方向ｇと直交するように、固定部１に対して保持部２が取り付けられている。これにより、固定片１１、１２は端子台１００の側壁１３０に取り付け可能な状態になると共に、保持片２１、２２はワニ口クリップを保持可能な状態になる。
【００４２】
この実施の形態によれば、端子台１００の側壁１３０に固定部１を取り付けて、ワニ口クリップ２２０を保持部２で保持することを可能にする。
【００４３】
なお、この実施の形態において、保持部２を固定部１に対して直角方向に回る構造としてもよい。これにより、１つのワニ口クリップ保持具により、端子台１００の隔壁１２０または側壁１３０にワニ口クリップを固定することを可能にする。
【符号の説明】
【００４４】
１  固定部
１１、１２  固定片
１１Ａ  接合穴
１１Ｂ  貫通孔
１２Ａ  凸部
１２Ｂ  貫通孔
１３  ばね
１４  軸
２  保持部
２１、２２  保持片
１００  端子台
１１０  端子台本体
１２０  隔壁
１２１  平板部
１３０  側壁
１４０  端子ねじ
２１０  リード線
２２０  ワニ口クリップ
【図１】
2019096434.tif 000003
【図２】
2019096434.tif 000004
【図３】
2019096434.tif 000005
【図４】
2019096434.tif 000006
【図５】
2019096434.tif 000007
【図６】
2019096434.tif 000008
【図７】
2019096434.tif 000009
【図８】
2019096434.tif 000010
【図９】
2019096434.tif 000011
【図１０】
2019096434.tif 000012
【図１１】
2019096434.tif 000013
【図１２】
2019096434.tif 000014